(57)【要約】【課題】周囲に積雪した雪の融雪を促すことが可能な蓄電池システムの設置構造を提供する。【解決手段】屋外に配置された蓄電池システム１０と、蓄電池システム１０の少なくとも一側方に立設される遮蔽室２０と、を具備する蓄電池システム１０の設置構造１００であって、蓄電池システム１０は、蓄電池システム１０の外郭を成す筐体１１と、その一端を、導入口を介して筐体１１と連通されると共に、他端を、放出口を介して外部と連通され、筐体１１の内部の空気を外部へと案内して放出可能な放出部１１ａと、を具備し、放出部１１ａの放出口を、遮蔽室２０の下部に対向するように配置すると共に、遮蔽室２０と放出部１１ａの放出口とを離間させて配置する。また、蓄電池システム１０は、放出部１１ａの導入口と対向するように配置されると共に、筐体１１の内部に配置されたインバータ１３の熱を放熱する放熱器１４を具備する。【選択図】図３
2015018699.tif 000002
【特許請求の範囲】
【請求項１】
屋外に配置された蓄電池システムと、
前記蓄電池システムの少なくとも一側方に立設される遮蔽部材と、
を具備する蓄電池システムの設置構造であって、
前記蓄電池システムは、
前記蓄電池システムの外郭を成す筐体と、
その一端を、導入口を介して前記筐体と連通されると共に、他端を、放出口を介して外部と連通され、前記筐体の内部の空気を外部へと案内して放出可能な放出部と、
を具備し、
前記放出部の放出口を、前記遮蔽部材の下部に対向するように配置すると共に、前記遮蔽部材と前記放出口とを離間させて配置することを特徴とする、
蓄電池システムの設置構造。
【請求項２】
前記蓄電池システムは、
前記導入口と対向するように配置されると共に、前記筐体の内部に配置されたインバータの熱を放熱する放熱器を具備する、
請求項１に記載の蓄電池システムの設置構造。
【請求項３】
前記放熱器は、
前記放出部を介して前記筐体の内部から外部へと延設されると共に、前記遮蔽部材と当接される、
請求項２に記載の蓄電池システムの設置構造。
【請求項４】
前記遮蔽部材は、前記蓄電池システムを外部から覆うように形成され、
前記遮蔽部材の上部に設けられ、当該遮蔽部材の内部の温度が所定の温度以上に上昇した場合に、当該遮蔽部材の内部と外部とを連通するように開口する開口機構をさらに具備する、
請求項１から請求項３までのいずれか一項に記載の蓄電池システムの設置構造。
【発明の詳細な説明】
【技術分野】
【０００１】
本発明は、屋外に配置された蓄電池システムを設置するための蓄電池システムの設置構造の技術に関する。
【背景技術】
【０００２】
従来、蓄電池システムを設置するための設置構造の技術は公知となっている。例えば、特許文献１に記載の如くである。
【０００３】
特許文献１に記載の技術では、建築物を構成するユニット同士の境界部分に存在するスペースを利用して蓄電池（蓄電池システム）を設置するための収納室が形成されている。このように構成することにより、蓄電池システムを配置するためのスペースを別途確保する必要がなく、デッドスペースを有効利用することができる。
【０００４】
しかし、特許文献１に記載の技術では、蓄電池システムが建築物内に設置されているため、当該蓄電池システムから発生する騒音が当該建築物内の人に不快感を与えるおそれがある点で不利であった。
【０００５】
そこで、蓄電池システムから発生する騒音が建築物内の人に与える影響を少なくするための方法として、当該蓄電池システムを当該建築物の外（屋外）に設置し、当該蓄電池システムを簡易な小屋等に収納したり、周囲（側方）に適宜の部材（遮蔽部材）を配置して風雨や太陽光等から遮蔽したりする方法が考えられる。
【０００６】
しかしこの方法では、例えば積雪することがある寒冷地では、蓄電池システムを収納した小屋や遮蔽部材の上や周囲に積雪した場合、当該小屋内の蓄電池システムのメンテナンスを行うことが困難となる点で不利である。また、積雪量が多い場合には、雪の重みによって当該小屋等が破損するおそれもある点で不利である。
【先行技術文献】
【特許文献】
【０００７】
【特許文献１】特開２０１０−１６３８４９号公報
【発明の概要】
【発明が解決しようとする課題】
【０００８】
本発明は以上の如き状況に鑑みてなされたものであり、その解決しようとする課題は、周囲に積雪した雪の融雪を促すことが可能な蓄電池システムの設置構造を提供することである。
【課題を解決するための手段】
【０００９】
本発明の解決しようとする課題は以上の如くであり、次にこの課題を解決するための手段を説明する。
【００１０】
即ち、請求項１においては、屋外に配置された蓄電池システムと、前記蓄電池システムの少なくとも一側方に立設される遮蔽部材と、を具備する蓄電池システムの設置構造であって、前記蓄電池システムは、前記蓄電池システムの外郭を成す筐体と、その一端を、導入口を介して前記筐体と連通されると共に、他端を、放出口を介して外部と連通され、前記筐体の内部の空気を外部へと案内して放出可能な放出部と、を具備し、前記放出部の放出口を、前記遮蔽部材の下部に対向するように配置すると共に、前記遮蔽部材と前記放出口とを離間させて配置するものである。
【００１１】
請求項２においては、前記蓄電池システムは、前記導入口と対向するように配置されると共に、前記筐体の内部に配置されたインバータの熱を放熱する放熱器を具備するものである。
【００１２】
請求項３においては、前記放熱器は、前記放出部を介して前記筐体の内部から外部へと延設されると共に、前記遮蔽部材と当接されるものである。
【００１３】
請求項４においては、前記遮蔽部材は、前記蓄電池システムを外部から覆うように形成され、前記遮蔽部材の上部に設けられ、当該遮蔽部材の内部の温度が所定の温度以上に上昇した場合に、当該遮蔽部材の内部と外部とを連通するように開口する開口機構をさらに具備するものである。
【発明の効果】
【００１４】
本発明の効果として、以下に示すような効果を奏する。
【００１５】
請求項１においては、放出口から放出された暖かい空気が遮蔽部材に沿って上昇するため、当該遮蔽部材をその下部から上部に亘って暖めることができ、ひいては遮蔽部材の周囲に積雪した雪の融雪を促すことができる。これによって、蓄電池システムのメンテナンス性を向上させることができる。
【００１６】
請求項２においては、インバータで発生した熱を放出部の導入口近傍において放熱することができ、放出部から暖かい空気を放出し易くすることができる。
【００１７】
請求項３においては、放熱器の熱を直接遮蔽部材に伝導することができ、当該遮蔽部材をより暖め易くすることができる。
【００１８】
請求項４においては、遮蔽部材内の暖かい空気を外部へと放出することができ、当該遮蔽部材内の温度上昇を抑制することができる。
【図面の簡単な説明】
【００１９】
【図１】本発明の第一実施形態に係る設置構造の様子を示した斜視図。
【図２】同じく、設置構造の側面断面図。
【図３】屋外の気温が比較的低い場合の設置構造の様子を示した側面断面図。
【図４】屋外の気温が比較的高い場合の設置構造の様子を示した側面断面図。
【図５】第二実施形態に係る設置構造の側面断面図。
【図６】第三実施形態に係る設置構造の側面断面図。
【図７】同じく、正面模式図。
【図８】第四実施形態に係る設置構造の側面断面図。
【図９】第五実施形態に係る設置構造の側面断面図。
【図１０】（ａ）蓄電池システムの一側方に立設された、遮蔽部材の変形例を示した模式図。（ｂ）同じく、蓄電池システムの前側面を側方から覆うように立設された、遮蔽部材の変形例を示した模式図。
【発明を実施するための形態】
【００２０】
以下では、図中に示した矢印に基づいて、前後方向、左右方向及び上下方向を定義して説明を行う。
【００２１】
まず、図１及び図２を用いて、本発明に係る蓄電池システムの設置構造の第一実施形態に係る設置構造１００について説明する。設置構造１００は、蓄電池システム１０を屋外に設置する構造である。
【００２２】
蓄電池システム１０は、住宅１で使用するための電力を充電して蓄えると共に、適宜放電して当該住宅１で使用可能とするものである。また、遮蔽室２０は、住宅１の外（屋外）に配置された蓄電池システム１０を外部から覆い、当該蓄電池システム１０を日光や風雨から遮蔽するものである。蓄電池システム１０及び遮蔽室２０は、住宅１の外壁１ａ（前側の側面）に沿うように配置される。また、遮蔽室２０には、当該遮蔽室２０の内部と外部とを連通するように開口する開口機構３０が設けられる。
【００２３】
以下では、蓄電池システム１０及び遮蔽室２０の具体的な構成について説明する。
【００２４】
蓄電池システム１０は、住宅１の外壁１ａのすぐ前方に配置される。蓄電池システム１０は、主として筐体１１、蓄電池１２、インバータ１３及び放熱器１４を具備する。
【００２５】
筐体１１は、蓄電池システム１０の外郭を成すものであり、蓄電池システム１０の他の構成部材を収納するためのものである。筐体１１は、略直方体の箱状に形成される。筐体１１には、放出部１１ａが形成される。
【００２６】
放出部１１ａは、筐体１１の内部と外部とを連通するものである。放出部１１ａは、筐体１１の前側面の下部（下端部から上下中央部近傍に亘る部分）に形成される。放出部１１ａは、長手方向を左右方向に向けた略長方形状の貫通孔を上下に複数並べるようにして形成される。
【００２７】
ここで、放出部１１ａの後端部（筐体１１の内側の端部）が、本発明に係る放出部の「導入口」の実施の一形態であり、放出部１１ａの前端部（筐体１１の外側の端部）が、本発明に係る放出部の「放出口」の実施の一形態である。なお、本実施形態においては、放出部１１ａは筐体１１の薄板状の面にスリット状となるように形成されたものであり、当該放出部１１ａの空気の流通方向（前後方向）の長さは非常に短いため、導入口と放出口とはほぼ一致する。このため、本実施形態においては導入口と放出口を特に区別せずに説明を行う。
なお、後述する第五実施形態（図９参照）においては、放出部の導入口と放出口とは互いに異なる位置（離間した位置）に配置されているため、区別して説明を行っている。
【００２８】
蓄電池１２は、電力を充放電可能に構成されるものである。蓄電池１２は、リチウムイオン電池により構成される。具体的には、蓄電池１２は、複数のセル１２ａから構成される。蓄電池１２は、筐体１１内の後部の上端部から下端部に亘って配置される。
【００２９】
インバータ１３は、電力を適宜変換するものである。インバータ１３は、筐体１１内の前部の上部に配置される。インバータ１３は、外部から供給される交流電力を直流電力に変換して蓄電池１２に充電させることができる。またインバータ１３は、蓄電池１２からの直流電力を交流電力に変換して出力することができる。
例えば、インバータ１３は商用電源や住宅１が有する太陽光発電部等に接続され、当該商用電源等からの電力を蓄電池１２に充電させることができる。またインバータ１３は住宅１の負荷（室内のコンセントや電気機器等）に接続され、インバータ１３に充電された電力を出力して前記負荷に供給することができる。
【００３０】
放熱器１４は、インバータ１３から発生する熱の放熱を促進するためのものである。放熱器１４は、熱が伝導し易い材料（例えば、アルミニウム等）で形成される。放熱器１４は、筐体１１内の前部の下部、すなわちインバータ１３の下方に配置される。放熱器１４の上面はインバータ１３の底面と当接される。これによってインバータ１３から発生する熱が放熱器１４に伝導され易くなる。放熱器１４の前面、特に筐体１１の放出部１１ａの導入口と対向する部分には、複数の板状に形成されたフィン１４ａが設けられる。これによって放熱器１４の前面の表面積を増やし、当該放熱器１４の熱がフィン１４ａから空気へと伝導（放熱）し易くすることができる。
【００３１】
遮蔽室２０は、本発明に係る遮蔽部材の実施の一形態である。遮蔽室２０は、主として側壁２１及び屋根２２を具備する。
【００３２】
側壁２１は、蓄電池システム１０の側方に立設され、当該蓄電池システム１０を側方から覆うものである。側壁２１は、蓄電池システム１０の前方及び左右両側方に配置された複数の板状の部材で構成される。側壁２１の前側面は蓄電池システム１０の筐体１１の前側面と平行になるように対向して配置され、当該筐体１１の前側面と当接することがないように若干離間して配置される。当該側壁２１及び住宅１の外壁１ａによって、蓄電池システム１０は側方から覆われる。また、側壁２１には図示しない扉が設けられる。当該扉から遮蔽室２０内に出入りして、蓄電池システム１０のメンテナンスを行うことができる。
【００３３】
屋根２２は、蓄電池システム１０を上方から覆うものである。屋根２２は板状の部材で構成され、前方から後方に向かって上昇するように傾斜した状態で、側壁２１の上部に配置される。屋根２２の前下端は、長手方向を左右方向に向けた回動軸２２ａを介して、側壁２１の前側面の上端に回動可能に連結される。屋根２２の後上端は、住宅１の外壁１ａ近傍まで延設される。
【００３４】
開口機構３０は、主として支持部３１、閉塞板３２及び形状記憶合金バネ３３を具備する。
【００３５】
支持部３１は、開口機構３０の他の構成部材を支持するものである。支持部３１は、屋根２２の下方において、住宅１の外壁１ａに固定される。
【００３６】
閉塞板３２は、屋根２２と支持部３１との間に配置されるものである。閉塞板３２は板状の部材で構成される。閉塞板３２は屋根２２の後上端近傍から支持部３１近傍に亘って配置されることによって、当該屋根２２と支持部３１との隙間を概ね閉塞する。
【００３７】
形状記憶合金バネ３３は、温度に応じて伸縮するように構成された部材である。形状記憶合金バネ３３は、所定の温度以上になると伸長し、当該所定の温度未満になると収縮するように構成される。形状記憶合金バネ３３は、支持部３１と閉塞板３２との間、及び閉塞板３２と屋根２２の後上端との間にそれぞれ配置される。
【００３８】
なお、形状記憶合金バネ３３が伸縮する「所定の温度」は任意に設定することが可能である。本実施形態においては、蓄電池システム１０の使用に適した温度範囲の上限値よりも所定値だけ低い温度に設定されるものとする。
【００３９】
次に、図３及び図４を用いて、蓄電池システム１０が運転（充放電）している際の設置構造１００の様子について説明する。
【００４０】
まず、図３を用いて、屋外の気温が比較的低い場合、特に遮蔽室２０の周囲や屋根２２の上部に雪Ｓが積雪している場合について説明する。
【００４１】
蓄電池システム１０が充放電を行うと、インバータ１３が発熱する。インバータ１３の熱は、当該インバータ１３の底面に接するように配置された放熱器１４に伝導される（図中の黒塗り矢印参照）。放熱器１４に伝導された熱は、主にフィン１４ａが設けられた部分から空気へと伝導される。このようにして暖められたフィン１４ａ近傍の空気は、当該フィン１４ａと対向する位置に形成された放出部１１ａから筐体１１の外部へと放出される（図中の白抜き矢印参照）。
【００４２】
放出部１１ａから放出された暖かい空気は、筐体１１の前側面と側壁２１の前側面との間を、側壁２１の下端部から上端部に亘って上昇する。この際、この暖かい空気の熱が側壁２１の前側面に伝導され、当該側壁２１の前側面全域（下端部から上端部まで）の温度が上昇する。このように側壁２１の温度が上昇すると、当該側壁２１の熱によって、外側に積雪した雪Ｓの融雪が促される。
【００４３】
筐体１１の前側面と側壁２１の前側面との間を上昇した暖かい空気は、側壁２１の上端部からさらに傾斜した屋根２２に沿って後上方へと上昇する。この際、この暖かい空気の熱が屋根２２に伝導され、当該屋根２２の温度が上昇する。このように屋根２２の温度が上昇すると、当該屋根２２の熱によって、上部に積雪した雪Ｓの融雪が促される。
【００４４】
このように、筐体１１の下部（側壁２１の前側面の下部と対向する位置）に放出部１１ａ（放出部１１ａの放出口）を設けることによって、当該放出部１１ａから放出された暖かい空気によって側壁２１の前側面及び屋根２２が全域に亘って温められ、遮蔽室２０の周囲や屋根２２の上部に積雪した雪Ｓの融雪が促される。これによって、積雪した雪Ｓが無くなれば、作業者が側壁２１に設けられた扉から遮蔽室２０内に入り、内部の蓄電池システム１０をメンテナンスすることが可能となる。また、積雪した雪Ｓの重量によって遮蔽室２０が破損するのを防止することもできる。
【００４５】
また、このように屋外の気温が低い場合、遮蔽室２０内の温度も上がり難いため、形状記憶合金バネ３３の温度は前記所定の温度未満となり、当該形状記憶合金バネ３３は収縮した状態となる。この状態においては、支持部３１、閉塞板３２及び屋根２２は互いに近接した状態となり、遮蔽室２０の内部の空間と外部の空間との連通が閉塞板３２によって概ね遮断された状態となる。したがって、インバータ１３からの熱によって暖められた空気は遮蔽室２０内に留まることになり、側壁２１及び屋根２２の温度をより暖め易くなる。
【００４６】
また、このように屋外の気温が低い場合には、インバータ１３が発した熱によって筐体１１内の空気も全体的に暖められるため、蓄電池１２の温度の低下を抑制することができ、当該蓄電池１２の動作不良を防止することもできる。
【００４７】
次に、図４を用いて、屋外の気温が比較的高い場合について説明する。
【００４８】
この場合も、屋外の気温が比較的低い場合（図３参照）と同様に、インバータ１３の熱は放熱器１４によって空気に伝導され、暖められた空気が側壁２１の前側面及び屋根２２に沿って上昇する。遮蔽室２０内の温度は、インバータ１３の熱により温められた空気や、屋外の暖かい空気、太陽光の照射によって上昇する。
【００４９】
遮蔽室２０内の温度が上昇し、形状記憶合金バネ３３の温度が前記所定の温度以上まで暖められると、当該形状記憶合金バネ３３は伸長した状態となる。この状態においては、支持部３１、閉塞板３２及び屋根２２は互いに離間した状態となり、遮蔽室２０の内部の空間と外部の空間とが連通された状態となる。したがって、遮蔽室２０内の暖かい空気は当該支持部３１、閉塞板３２及び屋根２２の隙間から外部へと放出され、当該遮蔽室２０内の温度の上昇が抑制される。このようにして、遮蔽室２０内の温度を、蓄電池システム１０の使用に適した温度範囲内（上限値よりも低い温度）に保つことができる。
【００５０】
以上の如く、本実施形態に係る蓄電池システム１０の設置構造１００は、
屋外に配置された蓄電池システム１０と、
蓄電池システム１０の少なくとも一側方に立設される遮蔽室２０（遮蔽部材）と、
を具備する蓄電池システム１０の設置構造１００であって、
蓄電池システム１０は、
蓄電池システム１０の外郭を成す筐体１１と、
その一端を、導入口を介して筐体１１と連通されると共に、他端を、放出口を介して外部と連通され、筐体１１の内部の空気を外部へと案内して放出可能な放出部１１ａと、
を具備し、
放出部１１ａの放出口を、遮蔽室２０の下部に対向するように配置すると共に、遮蔽室２０と放出部１１ａの放出口とを離間させて配置するものである。
【００５１】
このように構成することにより、放出口から放出された暖かい空気が遮蔽室２０に沿って上昇するため、当該遮蔽室２０をその下部から上部に亘って暖めることができ、ひいては遮蔽室２０の周囲に積雪した雪の融雪を促すことができる。これによって、蓄電池システム１０のメンテナンス性を向上させることができる。
【００５２】
また、蓄電池システム１０は、
放出部１１ａの導入口と対向するように配置されると共に、筐体１１の内部に配置されたインバータ１３の熱を放熱する放熱器１４を具備するものである。
【００５３】
このように構成することにより、インバータ１３で発生した熱を放出部１１ａの導入口近傍において放熱することができ、放出部１１ａから暖かい空気を放出し易くすることができる。
【００５４】
また、設置構造１００は、
遮蔽室２０は、蓄電池システム１０を外部から覆うように形成され、
遮蔽室２０の上部に設けられ、当該遮蔽室２０の内部の温度が所定の温度以上に上昇した場合に、当該遮蔽室２０の内部と外部とを連通するように開口する開口機構３０をさらに具備するものである。
【００５５】
このように構成することにより、遮蔽室２０内の暖かい空気を外部へと放出することができ、当該遮蔽室２０内の温度上昇を抑制することができる。
【００５６】
また、屋根２２は、
側壁２１の前側面側の端部（前端部）から、他の端部（後端部）に向かって上昇するように傾斜させて配置されるものである。
【００５７】
このように構成することにより、側壁２１の前側面に沿って上昇してきた暖かい空気を利用して、屋根２２の全域を暖めることができる。これによって、屋根２２の上部に積雪した雪Ｓの融雪を促すことができ、積雪した雪Ｓの重量によって遮蔽室２０が破損するのを防止することができる。
【００５８】
以上のように本実施形態に係る設置構造１００では、屋外の気温が比較的低い場合（積雪するような場合）には、インバータ１３からの熱によって蓄電池１２を暖めながら、遮蔽室２０の周囲に積雪した雪Ｓの融雪を促すことができる。また、屋外の気温が比較的高い場合には、開口機構３０によって遮蔽室２０の内部と外部とを連通することで、当該遮蔽室２０内の温度を適度な温度に保つことができる。すなわち、設置構造１００は、屋外の気温が比較的低い場合にも高い場合にも、蓄電池システム１０に適した設置環境を提供することができる。
【００５９】
なお、本実施形態においては、蓄電池システム１０は住宅１で使用するための電力を充電及び放電（充放電）するものとしたが、本発明は蓄電池システム１０が充放電する電力の用途を住宅１に限定するものではない。例えば、当該電力をオフィスビル、駅舎、ホテル等の種々の建築物で使用する構成や、種々の電気機器で使用する構成とすることも可能である。
【００６０】
また、本発明に係る蓄電池システム及び遮蔽部材の具体的な構成は、本実施形態に係る蓄電池システム１０及び遮蔽室２０に限るものではない。
例えば蓄電池１２はリチウムイオン電池であるものとしたが、その他の電池（例えば、ニッケル水素電池等）であっても良い。また筐体１１は略直方体であるものとしたが、その形状は限定するものではない。また筐体１１内の部材の配置は限定するものではなく、例えばインバータ１３を筐体１１内の下部に配置する構成であっても良い。また放熱器１４の形状は限定するものではなく、インバータ１３の熱を放熱することが可能なものであれば良い。
また、例えば遮蔽室２０の形状は本実施形態に限るものではなく、蓄電池システム１０の少なくとも一側方に立設されるものであれば良い。また遮蔽室２０は住宅１の外壁１ａと共に蓄電池システム１０を覆うものとしたが、遮蔽室２０単独で蓄電池システム１０を覆う構成であっても良い。
【００６１】
また、本実施形態においては、放出部１１ａが形成された筐体１１の前側面と、放出部１１ａと対向する側壁２１の前側面は、平行に配置されるものとしたが、本発明はこれに限るものではない。すなわち、筐体１１の前側面と側壁２１の前側面とは、互いに対向した状態でかつ離間して配置されるものであれば、平行に配置されていなくても良い。
【００６２】
また、放出部１１ａを形成するのは筐体１１の前側面に限らず、その他の面（背面や左右の側面等）であっても良く、複数の面であっても良い。
【００６３】
また、本発明に係る放出部の構成は、本実施形態に係る放出部１１ａに限るものではない。すなわち、放出部の形状は略長方形状でなくても良く、また複数ではなく１つだけ形成されるものであっても良い。
【００６４】
また、本発明に係る開口機構の具体的な構成は、本実施形態に係る開口機構３０に限定するものではない。例えば、遮蔽室２０の内部の温度を検出する温度センサ、遮蔽室２０の屋根２２を回動させるアクチュエータ及び前記温度センサにより検出される温度に基づいて前記アクチュエータの動作を制御する制御装置を用いて、遮蔽室２０の内部の温度が所定の温度以上に上昇したら屋根２２を上方に回動させて当該遮蔽室２０の内部と外部とを連通する構成とすることも可能である。
【００６５】
また、本実施形態においては、遮蔽室２０の屋根２２を回動させることで、当該遮蔽室２０の内部と外部とを連通するように開口させることが可能な構成としたが、本発明はこれに限るものではない。例えば、遮蔽室２０の側壁２１や屋根２２に開閉可能な窓を設け、当該窓を開くことで遮蔽室２０の内部と外部とを連通する構成とすること等も可能である。
【００６６】
なお、筐体１１の放出部１１ａから放出されて上昇する暖かい空気によって遮蔽室２０の側壁２１を暖める構成であるため、当該放出部１１ａは筐体１１のできるだけ低い位置に形成されることが望ましい。これによって、遮蔽室２０の側壁２１の下端部近傍から上端部に亘る広い範囲を暖めることが可能となる。
【００６７】
また、筐体１１の放出部１１ａから放出された暖かい空気の熱が十分に遮蔽室２０の側壁２１に伝導されるように、筐体１１の前側面と側壁２１の前側面とは適度な距離（すなわち、放出部１１ａから放出された暖かい空気が側壁２１に十分に接触可能な近い距離）だけ離間されることが望ましい。
【００６８】
また、遮蔽室２０の側壁２１及び屋根２２は、暖まり易いように熱が伝導し易い材料（例えば、アルミニウム等）で形成されることが望ましい。これによって、積雪した雪Ｓの融雪をより促すことができる。
【００６９】
以下では、図５を用いて、本発明に係る蓄電池システムの設置構造の第二実施形態に係る設置構造２００について説明する。なお、以下の第二実施形態の説明では、第一実施形態と異なる構成についてのみ説明し、第一実施形態と同様の構成については同一の符号を付して説明を省略する。
【００７０】
第二実施形態に係る筐体１１には、第一実施形態における放出部１１ａに代えて放出部２１１ａが形成される。放出部２１１ａは、筐体１１の内部と外部とを連通するものである。放出部２１１ａは、筐体１１の前側面の下部に形成される。放出部２１１ａは、筐体１１の前側面の下部の大部分を切り欠いて形成された１つの貫通孔である。
【００７１】
第二実施形態に係る設置構造２００は、第一実施形態に係る放熱器１４に代えて放熱器２１４を具備する。放熱器２１４は、筐体１１内の前部の下部、すなわちインバータ１３の下方から、筐体１１の前方に向かって延設される。放熱器２１４の上面はインバータ１３の底面と当接される。放熱器２１４の前端部は、筐体１１の放出部２１１ａを介して当該筐体１１の前方まで延設され、当該放熱器２１４の前側面は側壁２１の前側面と当接される。
【００７２】
このように構成された設置構造２００において、インバータ１３から放熱器２１４に伝導された熱は、当該放熱器２１４の前端からさらに側壁２１の前側面へと伝導される（図中の黒塗り矢印参照）。これによって、第一実施形態の場合に比べてより側壁２１の前側面を暖め易くなり、ひいては側壁２１の外側に積雪した雪Ｓの融雪をより効果的に促すことができる。
【００７３】
以上の如く、本実施形態に係る放熱器２１４は、
放出部２１１ａを介して筐体１１の内部から外部へと延設されると共に、遮蔽室２０と当接されるものである。
【００７４】
このように構成することにより、放熱器２１４の熱を直接遮蔽室２０（側壁２１の前側面）に伝導することができ、当該遮蔽室２０をより暖め易くすることができる。
【００７５】
以下では、図６及び図７を用いて、本発明に係る蓄電池システムの設置構造の第三実施形態に係る設置構造３００について説明する。なお、以下の第三実施形態の説明では、第一実施形態と異なる構成についてのみ説明し、第一実施形態と同様の構成については同一の符号を付して説明を省略する。
【００７６】
第三実施形態に係る設置構造３００は、さらに発電システム３４０を具備する。発電システム３４０は、風力によって発電することが可能なもの（風力発電装置）である。発電システム３４０は、主として風車３４１及び発電機３４２を具備する。
【００７７】
風車３４１は、風を受けて回転可能に構成されたものである。風車３４１は、長手方向を左右方向に向けて配置された風車軸３４１ａ、及び当該風車軸３４１ａの周囲に固定された複数の羽根３４１ｂを具備する。風車３４１は筐体１１の前側面の上方に配置される。風車３４１は、風車軸３４１ａを中心として回動可能となるように遮蔽室２０等に支持される。
【００７８】
発電機３４２は、回転動力から電力を発生させる（発電する）ものである。発電機３４２は、風車軸３４１ａの左端部に連結される。
【００７９】
このように構成された設置構造３００においては、第一実施形態と同様に、インバータ１３の熱は放熱器１４によって空気に伝導され、暖められた空気が側壁２１の前側面及び屋根２２に沿って上昇する。この際、当該暖められた空気が風車３４１を回転させる。風車３４１の回転動力は、風車軸３４１ａを介して発電機３４２に伝達され、当該発電機３４２が発電する。
【００８０】
発電機３４２によって発電された電力は、例えば蓄電池システム１０や別途設けられた図示しない蓄電池システムに充電される。この充電された電力は、適宜住宅１等で利用することが可能となる。例えば、図６及び図７に示すように、蓄電池システム１０と側壁２１の前側面との間の空間の下部に、上方に向けられたファン３４３を設置し、発電機３４２によって発電された電力によって当該ファン３４３を駆動する構成とすることも可能である。このように構成することによって、ファン３４３によって空気の上昇を促進し、空気の循環を効率良く行うことができる。
【００８１】
このように、第三実施形態に係る設置構造３００においては、遮蔽室２０内の空気の流れを利用して発電を行うことができ、エネルギーの有効利用を図ることができる。
【００８２】
以下では、図８を用いて、本発明に係る蓄電池システムの設置構造の第四実施形態に係る設置構造４００について説明する。なお、以下の第四実施形態の説明では、第一実施形態と異なる構成についてのみ説明し、第一実施形態と同様の構成については同一の符号を付して説明を省略する。
【００８３】
第四実施形態に係る遮蔽室２０の側壁２１には、開口部４２１ａが形成される。開口部４２１ａは、遮蔽室２０の内部と外部とを連通するものである。開口部４２１ａは、側壁２１の左側面の前下端部（側面視において、筐体１１の前側面と側壁２１の前側面との隙間と対向する位置）に形成される。開口部４２１ａは、長手方向を前後方向に向けた略長方形状の貫通孔を上下に複数並べるようにして形成される。
【００８４】
このように構成された設置構造４００においては、第一実施形態と同様に、インバータ１３の熱は放熱器１４によって空気に伝導され、暖められた空気が筐体１１の放出部１１ａから放出される。この暖められた空気は、筐体１１の前側面と側壁２１の前側面との間を上昇しようとする。この際、暖められた空気の上昇に伴って、側壁２１の開口部４２１ａを介して外部から比較的（インバータ１３の熱によって暖められた空気より）低い温度の空気が遮蔽室２０内へと取り込まれる。この比較的低い温度の空気によって、筐体１１の放出部１１ａから放出された暖かい空気が押し上げられ、当該暖かい空気の上昇がより促進される。このように、いわゆる煙突効果を利用することで、空気の循環を効率良く行うことができる。
【００８５】
以下では、図９を用いて、本発明に係る蓄電池システムの設置構造の第五実施形態に係る設置構造５００について説明する。なお、以下の第五実施形態の説明では、第一実施形態と異なる構成についてのみ説明し、第一実施形態と同様の構成については同一の符号を付して説明を省略する。
【００８６】
第五実施形態に係る蓄電池システム１０においては、蓄電池１２は筐体１１内の下部に配置される。また、インバータ１３は筐体１１内の後部の上部に配置される。また、放熱器１４は筐体１１内の前部の上部に配置される。
【００８７】
第五実施形態に係る筐体１１には、第一実施形態における放出部１１ａに代えて放出部５１１ａが形成される。放出部５１１ａは、筐体１１の内部と外部とを連通するものである。放出部５１１ａは、筒状の部材によって形成される。放出部５１１ａの導入口５１１ｂは、筐体１１の前側面の上部に連通され、放熱器１４のフィン１４ａと対向するように配置される。放出部５１１ａの放出口５１１ｃは、側壁２１の前側面の下部と対向するように配置され、筐体１１の外部と連通される。放出部５１１ａは、導入口５１１ｂと放出口５１１ｃとを連通するように、適宜屈曲した形状に形成される。
【００８８】
このように構成された設置構造５００において、筐体１１内の暖かい空気は、導入口５１１ｂから放出部５１１ａ内へと流入し、当該放出部５１１ａを通って放出口５１１ｃから筐体１１の外部へと放出される。放出部５１１ａの放出口５１１ｃから放出された暖かい空気は、側壁２１に沿って上昇し、当該側壁２１の温度を上昇させることができる。
【００８９】
この際、放出部５１１ａの導入口５１１ｂは、放熱器１４のフィン１４ａと対向するように配置されているため、当該フィン１４ａ近傍の暖かい空気が放出部５１１ａ内へと流入し易くなる。
【００９０】
第五実施形態に係る設置構造５００に示したように、本発明に係る放出部の形状は、第一実施形態に係る放出部１１ａのような貫通孔に限るものではなく、適宜の部材（筒状の部材等）により空気を案内するものであっても良い。この場合、筐体１１内の暖かい空気が側壁２１の下部と対向する位置（放出口５１１ｃ）から放出されるものであれば、放出部５１１ａの形状を限定するものではない。すなわち、設置構造５００のように、筐体１１の下部ではなく上部から暖かい空気を放出部５１１ａ内へと取り込む構成とすることも可能である。また、放出部５１１ａの導入口５１１ｂを、暖かい空気が発生し易い位置（例えば、放熱器１４のフィン１４ａ近傍や、インバータ１３の近傍）や、暖かい空気が溜まり易い位置（例えば、筐体１１内の上部）に配置することで、筐体１１内の暖かい空気を効率良く排出することが可能となる。
【００９１】
なお、本発明に係る遮蔽部材の具体的な構成は、上記各実施形態に係る遮蔽室２０に限るものではなく、蓄電池システム１０の少なくとも一側方に立設されるものであれば良い。
例えば、図１０（ａ）に示すように、板状の遮蔽部材６２０を蓄電池システム１０の筐体１１の前側方にのみ配置する構成であっても良い。この場合、当該筐体１１の前側面と遮蔽部材６２０との間を暖かい空気が上昇することになる。
また、図１０（ｂ）に示すように、平面視Ｃ字状の遮蔽部材７２０を蓄電池システム１０の筐体１１の前側面に当接するように配置する構成であっても良い。この場合、筐体１１の前側面を、遮蔽部材７２０によって側方から覆うことになり、当該筐体１１の前側面と遮蔽部材７２０とによって囲まれた空間を、暖かい空気が上昇することになる。このように暖かい空気が上昇する空間を側方から囲むことで、煙突効果による空気の上昇の促進が期待できる。
【符号の説明】
【００９２】
１      住宅
１ａ    外壁
１０    蓄電池システム
１１    筐体
１２    蓄電池
１３    インバータ
１４    放熱器
１１ａ  放出部
２０    遮蔽室
２１    側壁
２２    屋根
３０    開口機構
１００  設置構造
【図１】
2015018699.tif 000003
【図２】
2015018699.tif 000004
【図３】
2015018699.tif 000005
【図４】
2015018699.tif 000006
【図５】
2015018699.tif 000007
【図６】
2015018699.tif 000008
【図７】
2015018699.tif 000009
【図８】
2015018699.tif 000010
【図９】
2015018699.tif 000011
【図１０】
2015018699.tif 000012